(57)【要約】【課題】天然水の品質を維持しつつ消費者の需要に応じて量り売りができ、消費者が持参の容器に直接、多量に天然水を供給することができる清水自動販売機を提供しようとする。【解決手段】本発明の提供する清水自動販売機は、清水を貯水する貯水タンクと、前記貯水タンクが内部に多孔質石英片岩を貯留する貯留部と、前記清水の供給量を指定する指定手段と、前記清水を前記指定手段が指定した供給量分供給する清水供給手段と、を備える。【選択図】　図４
2004102909.tif 000002
【特許請求の範囲】
【請求項１】
清水を貯水する貯水タンクと、
前記貯水タンクが内部に多孔質石英片岩を貯留する貯留部と、
前記清水の供給量を指定する指定手段と、
前記清水を前記指定手段が指定した供給量分供給する清水供給手段と、
を備える、清水自動販売機。
【請求項２】
前記指定手段は、投入された金額に対応する清水の供給量を指定する、請求項１に記載の清水自動販売機。
【請求項３】
請求項１又は請求項２に記載の清水自動販売機において、
前記清水を供給するのを開始させる清水供給開始手段と、
前記清水を供給するのを中止させる清水供給中止手段と、
を備える、清水自動販売機。
【請求項４】
請求項１乃至請求項３に記載の清水自動販売機を用い、前記貯水タンクに清水を貯水し、前記指定手段を介して指定された供給量分の清水を供給する、清水販売システム。
【発明の詳細な説明】
【０００１】
【発明の属する技術分野】
本発明は、天然水を消費者の需要に応じて量り売りができる自動販売機に関する。
【０００２】
【従来の技術】
わが国はかつて緑豊かな山野、清涼な水の流れる河川や湧水に恵まれ、「水と空気はただ。」と言われた時代もあったが、現在ではそれも死語となった。近年、都市化や温暖化等により慢性的な水不足が深刻化し、また、農薬、合成洗剤等の化学物質による水質汚染が進んで、そのため水道水は消毒のため塩素臭く、とても安心しておいしく飲めるものではなくなった。
【０００３】
このため近年、全国の有名な湧水や清水等の名水が、「○○のおいしい天然水」等と命名されてペットボトルや缶に入れられてジュース等と共に販売されている。これらは、店頭でも買うことができるが、自動販売機でも求めることができる。
【０００４】
しかし、自動販売機で買い求めることのできる水は、水道法等の規制があり、あくまで飲料水として缶やペットボトルに入ったもので、大量に必要量買えるといったものではなかった。例えば美容と健康のためにお風呂の水として使ったりする場合は、上記のような飲料用の名水は高すぎて通常は利用できるものではない。また、水道水を機内の水リザーバに貯留し、ここから各種飲料の製造用水、製氷機の製氷水等として機内各所の末端に配水する自動販売機も、備え付けの紙コップに各種飲料を供給するカップ式飲料自動販売機である（例えば特許文献１乃至４参照。）。
【０００５】
一方、水道法第４条に定められた水質基準に適合した飲料水を、多量に供給するものとしては、飲料水を供給するタンクで、備えつけのボタンを押す等すると水道から供給されて予め冷やされた水を供給する冷水機等がある。また、殺菌装置、ろ過装置、貯水タンクを備えて、水道水、天然水、浄水等を多量に販売する飲料水自動販売機も公知である（例えば、実用新案登録文献１参照。）。しかし、有名な名水の品質を維持しつつ必要量供給するようなシステムや自動販売機は従来存在しなかった。
【０００６】
【特許文献１】
特公平０６−９６１４８号公報（第１−２頁）
【特許文献２】
特許第２６０２３２４号公報（第１−２頁）
【特許文献３】
特開昭５９−１１５７７９（第１−２頁）
【特許文献４】
特開平１１−２９０８７７（第２−８頁）
【実用新案登録文献１】
登録実用新案第３００５０８８号公報（第２−８頁）
【０００７】
【発明が解決しようとする課題】
そこで本発明は、天然水の品質を維持しつつ消費者の需要に応じて量り売りができ、消費者が持参の容器に直接、多量に安く天然水を供給することができる清水自動販売機を提供する。
【０００８】
【課題を解決するための手段】
本発明の提供する清水自動販売機は、清水を貯水する貯水タンクと、前記貯水タンクが内部に多孔質石英片岩を貯留する貯留部と、前記清水の供給量を指定する指定手段と、前記清水を前記指定手段が指定した供給量分供給する清水供給手段と、を備える。
【０００９】
本発明の提供する清水自動販売機は、前記指定手段が、投入された金額に対応する清水の供給量を指定する。
【００１０】
本発明の提供する清水自動販売機は、前記清水を供給するのを開始させる清水供給開始手段と、前記清水を供給するのを中止させる清水供給中止手段と、を備え得る。
【００１１】
本発明の提供する清水販売システムは、前記清水自動販売機を用い、前記貯水タンクに清水を貯水し、前記指定手段を介して指定された供給量分の清水を供給する。
【００１２】
【作用】
本発明の提供する清水自動販売機は、全国の有名な名水、天然水等の清水を大量にタンクに貯水して販売するため、需要者持参の容器に直接清水を供給することができる。
【００１３】
また、指定手段により所望の量の清水を指定でき、満杯になった容器を取り替える際は、清水供給中止手段により清水の供給を中止でき、清水供給開始手段により供給を再開することもできる。
【００１４】
更に、貯水タンクに清水と共に多孔質石英片岩を入れることにより、清水に混入される消毒剤等の臭気を取り除くことができる。また多孔質石英片岩は清水に対して抗菌等の浄化作用、鮮度保持等の活性作用等を奏し、多孔質であることから吸着作用をも発揮することができる。
【００１５】
本発明の提供する清水販売システムは、原産地で清水を汲んで、直接本発明の清水自動販売機の貯水タンクに当該清水を貯水、管理するので、原水を略そのままの状態で提供することができる。そして需要者は、金額に応じた当該清水を、持参の容器にて供給を受けることができる。
【００１６】
【発明の実施の形態】
図１及び図２は、本実施形態における清水自動販売機１０の構成を表す概略図である。清水自動販売機１０は、清水１及び多孔質石英片岩２を貯留する貯水タンク１２と、自動ポンプ１４と、フィルター１６、電磁弁１８と、減圧弁２０とが配管で連通され、タイマー、貨幣センサー２６、操作スイッチ２８、及び清水供給手段である給水管３０を配設して構成される。
【００１７】
まず、清水や天然水の名所と言われる水源地で当該清水等を、例えば１００ｍの深層からポンプ等で汲み上げる。勿論汲み上げに認可等が必要ならば、当該認可は取得するものとする。
【００１８】
次に上記汲み上げた清水１を、タンクローリー等で本発明の清水自動販売機まで運搬する。この際汲み上げた清水が空気に触れるのと、又、上記タンクローリーで運搬中における殺菌及び水質確保等のため、上記汲み上げた清水中に次亜塩素酸ナトリウム溶液を所定量混入し、消毒する。ここで所定量とは水質等によって異なるが、例えば濃度にして５０〜１００ｐｐｍ程度であってよい。
【００１９】
このように運搬された上記清水１は、設置してある本発明の清水自動販売機１０の貯水タンク１２に圧送ポンプ等にて入れられる。上記のように、清水１には次亜塩素酸ナトリウム溶液が混入されているために、多孔質石英片岩２を、例えば貯留部であるステンレス製の網カゴに水量の５％程度入れて、清水１の入った貯水タンク１２の中に沈める。
【００２０】
ここで特産の多孔質石英片岩２には水に対して様々な効果が認められており、抗菌、脱臭等の浄化作用、鮮度保持等の活性作用等があるといわれている。また、上記次亜塩素酸ナトリウム溶液は自然に分解するものの、多孔質石英片岩２によってより早く分解され、特有の臭気も失われるとともに、上記抗菌、脱臭作用等により清水１の鮮度も原水により近いまま保たれる。また、多孔質であるので吸着性に富み、原水に含まれるわずかな不純物を取り除いて洗浄効果を奏することもできる。
【００２１】
次に、貯水タンク１２に貯水された清水１は、自動ポンプ１４により汲み上げられ、フィルター１４を通過する際に濾過されて更に浄化される。自動ポンプ１４は吸い上げ型であっても押し込み型であってもどちらでもよい。又、フィルター１４は清澄濾過に適したものであれば特に限定されないが、清水１の成分をできる限り変えないことが望ましい。
【００２２】
このようにフィルター１４を通って清浄化された清水１は、電磁弁１８、減圧弁２０を介して給水管３０から消費者持参の容器に給水される。この清水１は上記のように、多孔質石英片岩２の入った貯水タンク１２に貯水されていたので、消毒用に混入された次亜塩素酸ナトリウム溶液は既に分解され、又、上記抗菌、脱臭作用等により、安全で略原水のままの品質で消費者に提供される。
【００２３】
上記貨幣センサー２６、操作スイッチ２８、吸水管３０等は、市販されているような通常の自動販売機を用いてよい。例えば図３は清水自動販売機１０の、消費者とのインターフェースである、清水自動販売機インターフェース１００の一例である。図１のように清水自動販売機インターフェース１００は、貯水タンク１２と分離されていてもよいが、貯水タンク１２に隣接させたり、又は直接貯水タンク１２に取り付けられてもよい。
【００２４】
電源ボタン１０２を押して可動状態に入る清水自動販売機インターフェース１００は、清水供給開始手段である起動ボタン１０４により清水１を給水管３０から供出し、清水供給中止手段である停止ボタン１０６により給水を停止する。需要者は、清水給水口１２０に持参又は当地購入のポリタンクやペットボトル等を給水管１３０の位置にあわせて適当に置き、清水１の必要量に応じた金額をコイン投入口１１２に投入する。起動ボタン１０４を押せば清水１が上記ポリタンク等に供給され、ポリタンクが一杯になったところで停止ボタン１０６により注水を停止する。次の空のポリタンクが清水給水口１２０に設置されたら再度起動ボタン１０４を押して清水１の給水を受ければよい。
【００２５】
貨幣センサー表面１１０はコイン投入口１１２、投入金額表示部１１４、つり銭口１１６、返却ボタン１１８から構成されている。紙幣投入口を加えてもよく、指定ボタン１１５を付加してもよい。貨幣センサー表面１１０の内部には貨幣センサー２６が内蔵されており、コイン投入口１１２から投入された金額を算出して投入金額表示部１１４に当該金額を表示する。
【００２６】
消費者は買いたい分の清水１の量を、例えば指定手段である指定ボタン１１５によって指定する。指定は金額で行なってもよく、又は清水１の重さで指定してもよい。あるいは体積で指定するようにしてもよい。但し投入金額を超えて清水１の分量指定がなされたときは、当該指定は無効となる。
【００２７】
このような判断は、清水自動販売機内部に設置された制御部が行なう。即ち、貨幣センサー２６の算出した金額と、指定ボタン１１５によって指定された清水１の金額を比較し、前者が後者より少ない場合は指定を無効とし、例えば投入金額表示部１１４に無効である旨を表示する。逆に投入金額が指定された清水１の金額より多い場合は、つり銭口１１６より差額を返却する。
【００２８】
指定手段は単純に貨幣センサー２６であっても良い。例えばコイン投入口１１２から５０円投入する毎に、１リットル清水１が供出されるように設定する。又は１００円を単位にして２リットルづつ清水１を供給するようにしてもよい。あるいは投入した金額分だけ清水１を供給するようにしてもよい。給水を中止したい場合は停止ボタン１０６を押し、返却ボタン１１８を押せば、つり銭口１１６より残金を返却するようにしてもよい。
【００２９】
こうして指定された分量の清水１を供給するように、上記制御部が電磁弁１８を制御する。電磁弁１８を通過する流量は予め決まっているので、制御部は投入された金額から供給する清水１の量を算出し、あるいは上記指定分量を感知して、タイマーを使って電磁弁に流す電流を制御すればよい。
【００３０】
制御部は返却ボタン１１８が押されるまで、予め指定された量の清水１を供給するようにしてよい。又は停止ボタン１０６が押されると同時にタイマーが作動し、一定時間、例えば１０秒が経過したら残金をつり銭口１１６に返却するようにしてもよい。
【００３１】
最後に、貯水タンクの衛生管理は水道法第４条に定められた水質基準に適合した飲料水を供給する上で極めて重要である。このため、貯水タンクの清掃、給水設備の点検管理、水質検査等の定期的管理を実行することは、安全で安心して飲める清水１を提供するために大変重要である。
【００３２】
【実施例１】
図４（ａ）は本願の清水自動販売機の一実施例の正面図である。貯水タンク２１２の中には清水１が貯水され、多孔質石英片岩２が沈められている。ドア２３０の内部には貯水タンク２１２や他の給水設備の制御や点検のために空間が設けられている。
【００３３】
貯水タンク２１２は本実施例では例えば透明なプラスチックやガラス等で形成されている。中の清水１を公開した方が需要者が安心し、綺麗で新鮮な水を見せることで購買意欲をそそるという効果も期待できる。同様に、符号２３２のような原産地の表示は需要者も安心させ、広告２３４のような広告でお客の興味を昂じさせるのもよい。
【００３４】
多孔質石英片岩２としては例えば商品名マグナ石（販売元；村役場株式会社）を使用する。上記マグナ石は遠赤外線効果、マイナスイオン効果等を持つと言われ、上述した多孔質石英片岩の効能をすべて備えると言われている。飲料水、湯水等に入れられて使用されるので、多孔質石英片岩２として好適である。
【００３５】
図４（ｂ）は図４（ａ）の清水自動販売機２１０の右側面図であり、清水自動販売機インターフェース３００の正面図である。本実施例の場合は清水自動販売機インターフェース３００は３台設置されているが、１台でも２台でもよく、スペースが許せば４台以上設置してもよい。
【００３６】
各清水自動販売機インターフェース３００には起動ボタン３０４、停止ボタン３０６、給水管３３０、清水給水口３２０、貨幣センサー表面３１０が設置、形成され、貨幣センサー表面３１０はコイン投入口３１２、投入金額表示部３１４、つり銭口３１６、返却ボタン３１８を備えている。これら各要素の果たす機能は上述の通りである。
【００３７】
本実施例の清水自動販売機２１０は、貯水タンク２１２と清水自動販売機インターフェース３００が一体となっているため、上記のように貯水タンク２１２内部の清水１や多孔質石英片岩２を購買者に見せることができ、宣伝広告機能や、顧客吸引力を発揮することができる。また見た目の清潔さを保つことで、購買者を安心させ、購買意欲を高めることも期待できる。
【００３８】
【実施例２】
本実施例では、貯水タンク２１２と清水自動販売機インターフェース３００は分離され、清水自動販売機インターフェース３００のみが購買者の目に触れることになる。貯水タンク２１２は等、給水設備は屋内に設置され、清水自動販売機インターフェース３００は屋外に設置される。又、貯水タンク２１２と清水自動販売機インターフェース３００を一体として、清水自動販売機インターフェース３００のみが屋外に出ているようにしてもよい。
【００３９】
貯水タンク２１２に貯水される清水は、太陽光と熱に悪影響を受けやすいため、貯水タンク２１２は冷暗所に設置されるのが好ましい。貯水タンク２１２の設置場所を冷蔵室としてもよい。清水１が実際に現地で飲める際の温度に保つ方がより好ましい。
【００４０】
このように実施例２の清水自動販売機は、太陽光等による清水１の水質変化を回避し、より原水に近い状態で清水１を提供することができる。
【００４１】
【発明の効果】
本発明の提供する清水自動販売機は、全国的に名高い清水や名水と言われる自然の水を大量にタンクに貯水して販売することができる。また、貯水方式で需要者持参の容器に直接清水を供給するため、需要者が望むだけ大量に安く清水を提供することができ、空き缶や紙コップのような容器ゴミが発生することもない。
【００４２】
貯水タンクには清水と共に多孔質石英片岩が入れられているため、多孔質石英片岩の持つ抗菌等の浄化作用、鮮度保持等の活性作用等により、清水の鮮度を原水に近い状態に保つことができ、新鮮で安全な清水を提供することができる。また、多孔質であることから吸着作用を奏し、清水中に含まれる不純物を取り除き、より綺麗な水を提供することができる。
【図面の簡単な説明】
【図１】清水自動販売機の給水設備の概略図。
【図２】清水自動販売機の給水設備に貨幣センサーを付加した概略図。
【図３】清水自動販売機インターフェースの斜視図。
【図４】（ａ）実施例の清水自動販売機の正面図。
（ｂ）実施例の清水自動販売機の側面図。清水自動販売機インターフェースの正面図でもある。
【符号の説明】
１：清水
２：多孔質石英片岩
１０、２１０：清水自動販売機
１２、２１２：貯水タンク
１４：自動ポンプ
１６：フィルター
１８：電磁弁
２０：減圧弁
２６：貨幣センサー
２８：操作スイッチ
３０、１３０、３３０：給水管
１００、３００：清水自動販売機インターフェース
１０２：電源ボタン
１０４、３０４：起動ボタン
１０６、３０６：停止ボタン
１１０、３１０：貨幣センサー表面
１１２、３１２：コイン投入口
１１４、３１４：投入金額表示部
１１５：指定ボタン
１１６、３１６：つり銭口
１１８、３１８：返却ボタン
１２０、３２０：清水給水口
２３０：ドア
２３２：原産地表示
２３４：広告
【図１】
2004102909.tif 000003
【図２】
2004102909.tif 000004
【図３】
2004102909.tif 000005
【図４】
2004102909.tif 000006